(57)【要約】      （修正有）【課題】照明体の交換が容易で、且つ、照明体の配置を自由に設定することができるエレベータのかご天井照明装置を得る。【解決手段】エレベータのかご室内を照らす照明体７と、この照明体を保持する保持部と、照明体を覆うようにかご室の天井部３に設けられた照明ケース５と、保持部の上部に設けられ、照明ケース内の天井部下面に吸着自在な磁石とを備えることによって、照明体及びこの照明体を保持する保持部を照明ケース内における天井部下面の任意の場所に容易に着脱することを可能とする。【選択図】図１
2007131416.tif 000002
【特許請求の範囲】
【請求項１】
エレベータのかご室内を照らす照明体と、
この照明体を保持する保持部と、
前記照明体を覆うように前記かご室の天井部に設けられた照明ケースと、
前記保持部の上部に設けられ、前記照明ケース内の前記天井部下面に吸着自在な磁石と、
を備えたことを特徴とするエレベータのかご天井照明装置。
【請求項２】
照明ケース内の天井部下面は、その全体に渡って磁石が吸着可能な材質で構成されたことを特徴とする請求項１に記載のエレベータのかご天井照明装置。
【請求項３】
エレベータのかご室内を照らす照明体と、
この照明体を保持する保持部と、
この保持部の上部に設けられた吸着側面ファスナーと、
前記照明体を覆うように前記かご室の天井部に設けられた照明ケースと、
この照明ケース内の前記天井部下面に設けられ、前記吸着側面ファスナーが着脱自在な接着側面ファスナーと、
を備えたことを特徴とするエレベータのかご天井照明装置。
【請求項４】
保持部とかご室の天井部との間に、前記保持部の落下を防止する落下防止具が備えられたことを特徴とする請求項１から請求項３の何れかに記載のエレベータのかご天井照明装置。
【発明の詳細な説明】
【技術分野】
【０００１】
この発明は、エレベータのかご室の天井面に設置される照明装置に関するものである。
【背景技術】
【０００２】
エレベータのかご室天井面に設置されて、かご室内を照らす従来の照明装置には、かご室天井面に複数の照明ケースを設置し、各照明ケース内に蛍光灯等の灯具を配置することにより、各照明ケースを各々独立に取り外し可能に構成して、部分的な交換作業を行うことができるようにしたものが提案されている（例えば、特許文献１参照）。
【０００３】
【特許文献１】特開２００４−１０２８０号公報
【発明の開示】
【発明が解決しようとする課題】
【０００４】
特許文献１記載のエレベータのかご天井照明装置では、各照明ケースが各々独立に取り外し可能に構成されているが、照明ケース内に設けられた蛍光灯等の照明体（灯具）の交換作業を実施する場合には、エレベータ保守作業員は、かご室内に持ち込んだ脚立等の上に乗って上を向いて作業を行わなければならなかった。特に、複数の照明体の交換作業を実施する場合には、無理な体勢での長時間の作業が強いられていた。
【０００５】
また、複数の照明体を使用している場合には、照明体の配置や照明ケースの構造等によって光ムラが発生することがある。かかる場合には、照明体を保持する保持具を天井面の最適な位置に配置するため、天井面に新たにネジ孔加工を施す必要があり、作業性が悪いという問題も生じていた。
【０００６】
この発明は、上述のような課題を解決するためになされたもので、その目的は、照明体の交換が容易で、且つ、照明体の配置を自由に設定することができるエレベータのかご天井照明装置を提供することである。
【課題を解決するための手段】
【０００７】
この発明に係るエレベータのかご天井照明装置は、エレベータのかご室内を照らす照明体と、この照明体を保持する保持部と、照明体を覆うようにかご室の天井部に設けられた照明ケースと、保持部の上部に設けられ、照明ケース内の天井部下面に吸着自在な磁石とを備えたものである。
【発明の効果】
【０００８】
この発明は、エレベータのかご室内を照らす照明体と、この照明体を保持する保持部と、照明体を覆うようにかご室の天井部に設けられた照明ケースと、保持部の上部に設けられ、照明ケース内の天井部下面に吸着自在な磁石とを備える構成としたことで、照明体の交換が容易で、且つ、照明体の配置を自由に設定することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータのかご天井照明装置の側面図、図２は図１に示すエレベータのかご天井照明装置のＡ部拡大図である。図１及び図２において、１はエレベータのかご室の床面を形成するかご床、２はこのかご床に立設されて、かご室の側壁を形成する側壁部、３は側壁部２の上部に設けられて、その下面がかご室の天井面を形成する天井部である。なお、天井部３の下面は薄鉄板等からなり、磁石が吸着可能な材質で構成されている。
【００１１】
また、４は天井部３の下面に設けられ、かご室内を照らす複数の照明部、５はかご室内の利用者から照明部４が見えないように、この照明部４を覆うように天井部３に吊り下げられ、その下面に開口部が形成された照明ケース、６は照明ケース５の開口部を塞ぐように照明ケース５に載置されて固定された、所定の透光性を有する照明板である。
【００１２】
次に、上記照明部４の構成について説明する。
各照明部４は、かご室内を照らす蛍光灯等からなる照明体７が、保持部８によって保持されている。そして、この保持部８の上部に磁石９が設けられており、この磁石９は、照明ケース５内の天井部３の下面に吸着固定されている。また、１０は一端部が照明部４の保持部８に、他端部が照明ケース５内における天井部３の下面にそれぞれ接続固定され、保持部８及び照明体７の落下を防止するために設置された所定の長さを有する落下防止具である。
【００１３】
なお、図３はこの発明の実施の形態１に示す落下防止具の拡大図であり、照明体７、保持部８及び磁石９を支持する支持体として、（ａ）はチェーン、（ｂ）はワイヤーが用いられている場合を示している。ここで、チェーン１１及びワイヤー１２は、その両端部に環状を呈する取付具１３が設けられており、保持部８及び天井部３下面にボルト１４を介して固定されている。なお、落下防止具１０を図３に示すように金属部材で構成することにより、熱や経年劣化に対しても強く、長期間の使用にも耐え得ることができる。
【００１４】
かかる構成を有することにより、照明部４を照明ケース５内における天井部３の下面の任意の場所に容易に着脱することが可能となり、照明ケース５の構造や、開口部の配置等によって光ムラが生じた場合でも、照明具４を最適な場所に設置し直すことにより、光ムラを容易に解消することができる。また、照明体７の交換の際にも、照明部４を天井部３の下面から取り外してかご室のかご床１上で作業を実施することができるため、複数の照明体７の交換作業を行う場合でも、保守作業者に掛かる負担が軽減されて容易に作業を行うことが可能である。なお、従来例のように各照明部４に対応した点検口蓋を設置する必要も無く、容易に作業を行うことができる。
【００１５】
また、実施例１においては、天井部３を鉄板等で構成することにより、照明ケース５内における天井部３の下面全体に磁石９が着脱自在となるように構成されているが、照明部４を設置する範囲を予め定めて、その範囲に薄鉄板等を取り付けるようにしても良い。かかる構成を有することにより、天井部３の下面に磁石を吸着させることができない既設のエレベータ装置にも容易に対応することが可能となり、改修後のかご天井照明装置の保守管理を容易化することができる。
【００１６】
実施の形態２．
図４はこの発明の実施の形態２におけるエレベータのかご天井照明装置の側面図、図５は図４に示すエレベータのかご天井照明装置のＢ部拡大図である。図４及び図５において、各照明部４は、かご室内を照らす蛍光灯等からなる照明体７が、保持部８によって保持されている。また、図中、１５はかご室の天井部３の下面に両面接着テープ１６を介して固定された接着側面ファスナー、１７は照明部４の保持部８の上面に両面接着テープ１８を介して固定された吸着側面ファスナーであり、上記接着側面ファスナー１５と、上記吸着側面ファスナー１７とは、互いに係合し合うことにより、容易に着脱自在に構成されている。なお、接着側面ファスナー１５及び吸着側面ファスナー１７は、例えば、株式会社クラレ製のマジックテープ（登録商標）等からなる。
【００１７】
かかる構成を有することにより、天井部３の下面の材質に関らず、照明部４を照明ケース５内における天井部３の下面に容易に着脱することが可能となる。また、天井部３の下面に両面接着テープ１６等を介して接着側面ファスナー１５を取り付けることができるため、天井部３にネジ孔加工を施す必要も無く、既設のエレベータ装置にも容易に対応することが可能である。その他は、実施の形態１と同様の構成及び効果を奏する。
【図面の簡単な説明】
【００１８】
【図１】この発明の実施の形態１におけるエレベータのかご天井照明装置の側面図である。
【図２】図１に示すエレベータのかご天井照明装置のＡ部拡大図である。
【図３】この発明の実施の形態１に示す落下防止具の拡大図である。
【図４】この発明の実施の形態２におけるエレベータのかご天井照明装置の側面図である。
【図５】図４に示すエレベータのかご天井照明装置のＢ部拡大図である。
【符号の説明】
【００１９】
１  かご床
２  側壁部
３  天井部
４  照明部
５  照明ケース
６  照明板
７  照明体
８  保持部
９  磁石
１０  落下防止具
１１  チェーン
１２  ワイヤー
１３  取付具
１４  ボルト
１５  接着側面ファスナー
１６、１８  両面接着テープ
１７  吸着側面ファスナー
【図１】
2007131416.tif 000003
【図２】
2007131416.tif 000004
【図３】
2007131416.tif 000005
【図４】
2007131416.tif 000006
【図５】
2007131416.tif 000007